(57)【特許請求の範囲】
【請求項１】
各気筒毎に設けられた複数の吸気弁のうちの少なくとも１つをエンジン回転数の低回転域で作動して閉弁状態に保持する弁休止手段と、前記複数の吸気弁で開閉される複数の吸気口に分岐する共通の吸気通路に設けられた燃料噴射弁を含む燃料噴射装置とを有し、エンジン状態に基づいて燃料要求量を決定するエンジンの燃料噴射制御装置において、
前記エンジン回転数が低回転域を脱して前記弁休止手段が非作動状態に切り替えられる高回転域に移った時に、前記燃料要求量に対してリーン化補正を行うリーン化手段を備えたことを特徴とする燃料噴射制御装置。
【請求項２】
前記弁休止手段が非作動状態に切り替えられた後の高回転域で前記リーン化補正を段階的に解除する復帰解除手段を備えたことを特徴とする請求項１記載の燃料噴射制御装置。
【請求項３】
前記弁休止手段が、予定のエンジン回転数を上回る高回転域で非作動状態に切り替えられるように構成されると共に、
前記リーン化補正が、前記予定のエンジン回転数よりも低回転数域から段階的に実施されることを特徴とする請求項１記載の燃料噴射制御装置。
【請求項４】
エンジン温度を検出する手段を備え、前記リーン化手段によるリーン化程度が、エンジン温度に応じて、エンジン温度が低いときは大きく、エンジン温度が高いときは小さくなるように決定されることを特徴とする請求項１記載の燃料噴射制御装置。
【請求項５】
前記リーン化補正が予定の時間以上継続された場合に、リーン化補正を段階的に解除させることを特徴とする請求項１記載の燃料噴射制御装置。
【発明の詳細な説明】
【０００１】
【発明の属する技術分野】
本発明は、燃料噴射制御装置に関し、特に、気筒毎に複数組の給排気弁を有するエンジンの燃料噴射制御装置に関する。
【０００２】
【従来の技術】
気筒毎に複数組の給排気弁を有するエンジンにおいて、予定運転域（例えば、低エンジン回転数域）で少なくとも１つの給気弁を非作動にして閉弁状態を保持する弁休止機構を備えたエンジンが知られる。１つの吸気弁を閉弁状態に保持することにより、燃焼室にスワールを形成して希薄燃焼を可能とし、燃費の低減が図られる。この弁休止機構を備えたエンジンでは、前記予定運転域から脱したとき、非作動（休止）状態の吸気弁が作動状態に切り換えられるが、そのときに燃料供給状態が急変するため、エンジンの運転状態も急変し、運転者が違和感を覚えることがある。
【０００３】
この不具合を解消するための提案がなされている。例えば、特開２０００−２０４９５６号公報には、休止中の吸気路に溜まった燃料が、一度に燃焼室に流れ込むのを防止するため、複数の吸気口につながる吸気路を連通路で連絡して、休止状態の吸気弁に至る吸気路に燃料が滞留するのを防止したエンジンが開示されている。
【０００４】
また、実公昭６３−１５５５３号公報には、休止中の弁を作動させるタイミングが遅れることによる混合気のオーバリッチを防止するため、休止中の弁を開くタイミングの遅れを見越して、供給燃料増量タイミングを遅らせるようにしたエンジンが開示されている。
【０００５】
さらに、特開平７−２９３３０５号公報には、休止状態を伴う吸気弁（休止吸気弁）と、休止状態を伴わない吸気弁（常用吸気弁）に対応する吸気ポート用にそれぞれ専用の燃料噴射弁を備え、それぞれを独立に制御するようにしたエンジンが開示されている。
【０００６】
【発明が解決しようとする課題】
上述の従来装置は、依然として解決すべき課題が残っている。まず、連通路を介して滞留燃料を常用弁に対応する吸気路へ逃がすエンジンでは、燃料噴射弁の燃料噴霧を休止弁と常用弁の両方に指向させた場合、滞留燃料を常用弁側へ十分に逃がしきれなくなる可能性がある。また、供給燃料増量タイミングを遅延させるエンジンでは、弁の機械的作動遅れに対応できるが、滞留燃料の流れ込みによる一時的なオーバリッチを防ぐという問題点が解決されていない。さらに、複数の燃料噴射弁を設けるエンジンでは、部品数の増加による組立工数の増大を招くとともに、吸気装置のレイアウトの自由度も小さくなるという問題点がある。
【０００７】
本発明の目的は、上記課題に鑑み、休止弁に対応する吸気路に滞留した燃料の流れ込みによる一時的なオーバリッチを防止することができる燃料供給制御装置を提供することにある。
【０００８】
【課題を解決するための手段】
前記目的を達成するために、本発明は、各気筒毎に設けられた複数の吸気弁のうちの少なくとも１つを予定の運転域で閉弁状態に保持する弁休止手段と、前記複数の吸気弁で開閉される複数の吸気口に分岐する共通の吸気通路に設けられた燃料噴射装置とを有し、エンジン状態に基づいて燃料要求量を決定するエンジンの燃料噴射制御装置において、前記予定の運転域を脱して前記弁休止手段が非作動状態に切り替えられる運転域で、前記燃料要求量に対してリーン化補正を行うリーン化手段を備えた点に第１の特徴がある。
【０００９】
また、本発明は、前記弁休止手段が非作動状態に切り替えられた後の運転域で前記リーン化補正を段階的に解除する復帰解除手段を備えた点に第２の特徴がある。
【００１０】
また、本発明は、前記運転域が、エンジン回転数に基づいて設定され、予定のエンジン回転数を上回る領域で前記弁休止手段が非作動状態に切り替えられるように構成されると共に、前記リーン化補正が、前記予定のエンジン回転数よりも低回転数域から段階的に実施される点に第３の特徴がある。
【００１１】
また、本発明は、リーン化手段によるリーン化程度が、エンジン温度に応じて、エンジン温度が低いときは大きく、エンジン温度が高いときは小さくなるように決定される点に第４の特徴があり、リーン化補正が予定の時間以上継続された場合に、リーン化補正を段階的に解除させる点に第５の特徴がある。
【００１２】
弁休止手段が作動状態のときに閉じていた吸気口の滞留燃料が、弁休止手段が非作動状態になって開いた吸気口から一時的に流入して混合気がオーバリッチになりやすい。上記第１の特徴によれば、弁休止手段が非作動状態に切り換えられる運転域でリーン化補正されるので、前記オーバリッチを回避できる。
【００１３】
特に、第２の特徴によれば、弁休止手段が非作動状態に切り換えられる運転域（休止切換運転域）を過ぎれば、燃料供給量は徐々に燃料要求量に復帰される。第３の特徴によれば、弁休止手段の作動・非作動の切換えはエンジン回転数に基づいて行わる。そして、この切換えのために設定されたエンジン回転数域よりも低いエンジン回転数域から、リーン化補正が開始される。したがって、弁休止手段が作動状態に切り換えられたときには、十分にリーン化補正がなされている。第２および第３の特徴によれば、段階的にリーン化および復帰が行われるのでエンジンの出力変動が小さい。
【００１４】
第４の特徴によれば、閉じられたままの吸気口に滞留する燃料の量はエンジン温度に応じて、エンジン温度が低いほど多くなるので、エンジン温度が低いときにはリーン化補正を大きくする。また、第５の特徴によれば、エンジンが休止切り換え運転域で継続的に運転された場合にリーン化が過多になるのを防止することができる。
【００１５】
【発明の実施の形態】
以下、図面を参照して本発明の一実施形態を説明する。図２は、本発明の一実施形態に係る燃料噴射制御装置を有する自動二輪車の側面図である。自動二輪車２の車体フレーム２１は、車体前部に設けられるヘッドパイプ２３と、ヘッドパイプ２３に前端が結合され、車体の左右に二股状に分岐して車体後方に延びるメインフレーム２２を備える。メインフレーム２２は側面視で上方に開いた略Ｕ字形状をなす。メインフレーム２２の後端には、後方斜め上方向に延びるシートステー２５が結合されるとともに、この後端間は連結フレーム２４で結合される。
【００１６】
ヘッドパイプ２３に枢支されるフロントフォーク２６が設けられ、フロントフォーク２６の上部にはステアリングハンドル２７が連結され、下部には前輪ＷＦが装着される。後輪ＷＲを支持するリヤフォーク２８が一方のメインフレーム２２の後部に上下揺動自在に支承され、シートステー２５および後輪ＷＲ間には、左右一対のクッションユニット２９が設けられる。
【００１７】
メインフレーム２２および連結フレーム２４には、エンジンＥの上方に位置するように燃料タンク３１が搭載され、シートステー２５上にはタンデム型のシート３２が取り付けられる。
【００１８】
エンジンＥはメインフレーム２２および連結フレーム２４に支持されており、エンジンＥの出力はエンジンＥに組み込まれる変速機およびチェーン伝動装置３０を介して後輪ＷＲに伝達される。エンジンＥの前方にはラジエータ３３が配置される。エンジンＥは、複数の気筒（ここでは４気筒）を有することができ、各気筒には複数の吸気口と排気口が設けられる。
【００１９】
図３は、エンジンＥのシリンダヘッドの要部断面図、図４は、図３のＡ−Ａ矢視図である。これらの図に示した部分は、エンジンＥの気筒数分設けられる。図において、シリンダヘッド４０には、燃焼室４３に臨んで開口する第１吸気口４４および第２吸気口４５、ならびに燃焼室４３に臨んで開口する第１排気口４６および第２排気口４７が設けられる。第１吸気口４４および第１排気口４６は、燃焼室４３の中心に関してほぼ対象位置に配置され、第２吸気口４５および第２排気口４７も、同様に配置される。
【００２０】
第１吸気口４４および第１排気口４６は低回転数域で非作動となる休止吸気弁および休止排気弁を有する。一方、第２吸気口４５および第２排気口４７はエンジン回転数にかかわらずエンジンの回転に伴って、所定タイミングで開閉する常用吸気弁および常用排気弁を有する。
【００２１】
第１吸気口４４につながる第１吸気路４４１と、第２吸気口４５につながる第２吸気路４５１とは一体になって吸気ポート４８につながる。吸気ポート４８には、吸気管が結合され、この吸気管に燃料噴射弁が設けられる（いずれも図示せず）。同様に、第１排気口４６につながる第１排気路４６１と、第２排気口４７につながる第２排気路４７１とは一体になって排気ポート４９につながる。排気ポート４９には、図示しない排気管が結合される。図４に示すように、二股状の第１吸気路４４１と第２吸気路４５１には、燃焼室４３寄りで互いを連結する連結路５０が設けられる。この連結路５０により、休止吸気弁が休止中つまり閉弁中に第１吸気路４４１に滞留する燃料が第２吸気路４５１側に逃がされる。
【００２２】
前記第１吸気口４４および第２吸気口４５、ならびに第１排気口４６および第２排気口４７には、それぞれを開閉するための弁機構が設けられる。図３を参照して第１吸気口４４および第排気口４７の弁機構を説明する。第１吸気口４４に係合する休止吸気弁としての弁体５１は上方に延びたステム５１１を有し、このステム５１１はシリンダヘッド４０に固定されるガイド筒５２に対して摺動自在に支持される。ステム５１１の上端は弁休止機構５３を介して図示しない吸気弁用カムに係合される。
【００２３】
弁休止機構５３は予定の低回転数域で第１吸気口４４を閉じた状態に保持するため、弁体５１に対する吸気弁用カムによる駆動力の伝達を休止させる機構である。ステム５１１を上方（閉弁方向）に付勢するためのコイルばね５４がステム５１１とシリンダヘッド４０間に設けられ、さらに弁休止機構５３とシリンダヘッド４０間にもコイルばね（後述）が設けられる。
【００２４】
第２排気口４７に係合する弁体５５はステム５５１を有し、このステム５５１はシリンダヘッド４０に固定されるガイド筒５６に対して摺動自在に支持される。ステム５５１の上端は図示しない排気弁用カムに係合される。ステム５５１を上方（閉弁方向）に付勢するためのコイルばね５７がステム５５１とシリンダヘッド４０間に設けられる。
【００２５】
なお、第２吸気口４５の弁機構は、第２排気口４７に設けられる弁機構と同様に構成され、弁休止機構は有していない。一方、第１吸気口４４と対になる第１排気口４６は第１吸気口４４と同様、弁休止機構を有することができる。この場合、第２吸気口４５と第１排気口４６とを含む断面形状は、図３と左右が逆の関係になった同様の形状になる。
【００２６】
続いて、弁休止機構５３を詳述する。図５は弁休止機構５３の断面図である。シリンダヘッド４０に設けられる支持孔６０に摺動自在に有底円筒状のリフタ６１が底を上にした状態で設けられる。リフタ６１の内側には、ピンホルダ６２が嵌合される。ピンホルダ６２は、周囲に環状溝６２１を有し、この環状溝６２１を形成する上下のフランジの外周がリフタ６１の内側に当接されており、環状溝６２１とリフタ６１の内面とは協働して後述の作動油の通路を規定する。
【００２７】
ピンホルダ６２の内部にはピンつまりプランジャ６３を摺動自在に収容する空間６２２が形成される。この空間６２２は、ピンホルダ６２の中心を通って該ピンホルダ６２の直径方向に延び、プランジャ６３が摺動自在に収容される。空間６２２内にはプランジャ６３を図中右方向に付勢するコイルばね６４が収容される。プランジャ６３の偏倚限界はストッパピン６５で規定される。ストッパピン６５はプランジャ６３の偏倚限界を規定すると共に、ピンホルダ６２に対するプランジャ６３の回転方向の位置も規定する。ピンホルダ６２およびプランジャ６３はプランジャ６３が図中右に偏倚して偏倚限界に位置したとき、弁機構のステム５１１の延長上で一列に整列する逃がし孔６２３，６３１を有する。
【００２８】
前記支持孔６０にはリフタ６１の円周方向に沿って環状溝４０１が形成される。リフタ６１には、ピンホルダ６２の周囲に形成される環状溝６２１と環状溝４０１とをつなぐ連通口６１１が設けられる。環状溝４０１，６２１および連通口６１１の各位置は、リフタ６１が支持孔６０内のどの位置にあるかにかかわらず互いが連通するよう設定される。
【００２９】
環状溝４０１につながる作動油供給路６５が設けられる。作動油供給路６５は作動油制御弁を介して作動油供給源（いずれも図示しない）に結合される。作動油は作動油供給路６５、環状溝４０１、連通口６１１，および環状通路６２１に供給され、前記ピンホルダ６２の開放端つまりプランジャ６３の右端に、前記コイルばね６４を圧縮する方向に圧力を作用させる。
【００３０】
リフタ６１とシリンダヘッド４０間には、リフタ６１を上方に付勢するコイルばね６６が設けられる。弁体５１を上方に付勢するばね５４の上端はステム５１１に固定されるストッパ５１２に当接している。一方、リフタ６１の上端は吸気弁用カム６７に当接して、このカム６７が回動したときにその外周にそって応動８（上下動）する。
【００３１】
上記構成によれば、エンジンの回転に伴って回転する吸気弁用カムや排気弁用カムに応動して、第１吸気口４４および第２吸気口４５ならびに第１排気口４６および第２排気口４７にそれぞれ設けられる弁機構が作動する。ここで、第２吸気口４５ならびに第２排気口４７に設けられる弁機構は吸気弁用カムや排気弁用カムに応動して弁の開閉動作を常時行う。これに対して、第１吸気口４４および第第１排気口４６に設けられる弁機構は予定のエンジン低速回転数域では、弁休止機構５３の作用により吸気弁用カムや排気弁用カムの回転にかかわらず作動しない。その結果、弁機構を構成する弁体５１１はコイルばね５４によって、上方に付勢されたまま保持される。
【００３２】
すなわち、第１吸気口４４を閉じたままに保持する動作は次のとおりである。弁機構の作動状態では、作動油を作動油供給路６５を介して環状溝４０１に給送される。そうすると、油圧が連通口６１１および環状溝６２１を通じてプランジャ６３の端部（図中右端部）に作用して、プランジャ６３はコイルばね６４を圧縮して図中左に偏倚する。その結果、逃がし孔６３１、６２３はステム５１１の延長線上に整列しなくなり、ステム５１１の上端はプランジャ６３の下面に対向するようになる。したがって、カム６７が回転して、その偏心量に応じてリフタ６１が下方に押し下げられると、プランジャ６３の下面で押されたステム５１１は下降して、該弁機構は開弁し、第１吸気口４４は開かれる。
【００３３】
また、カム６７が回転して偏心量の小さい部分でカ６７がリフタ６１に当接したときには、コイルばね６６によって付勢されるリフタ６１はカム６７に追従し、それに伴って、コイルばね５４によりステム５１１も上方に押し上げられ閉弁する。このように、第１吸気口４４は、エンジン回転に伴って回転するカム６７に応動する。
【００３４】
一方、弁機構の非作動状態では、作動油を図示しない経路を通じて逃がし、油圧を開放する。そうすると、プランジャ６３はコイルばね６４に付勢されているので図中右に偏倚する。その結果、逃がし孔６３１、６２３はステム５１１の延長線上に整列し、ステム５１１の上端は、この逃がし孔６３１、６２３内に進入可能になる。したがって、カム６７が回転して、その偏心量に応じてリフタ６１が下方に押し下げられても、ステム５１１は逃がし孔６３１、６２３内に逃げるので、リフタ６１の動きに追従しない。したがって、該弁機構は閉弁状態に保持され、第１吸気口４４および第１排気口４６は閉じられたままとなる。なお、第１吸気口４４の弁機構と第１排気口４６の弁機構とは、同様に動作する。
【００３５】
上述した弁休止機構５３の詳細は、本出願人の特許出願に係る公開公報（特開２０００−２０４５６号公報）にも開示されており、本発明の一層の理解のため、該公報の開示事項を本明細書に統合して参照することができる。
【００３６】
次に、前記弁機構を非作動状態から作動状態へ切り換える時の燃料供給制御を説明する。本実施形態では、この切り換え時に、燃料噴射量をエンジン要求燃料量に対して少なく設定し、混合気をリーン化させるように制御する。
【００３７】
図６は、燃料供給制御のタイミングチャートである。図において、制御切換回転数NEVTC（例えば６８００ｒｐｍ）を基準に、これよりエンジン回転数NEが低いときは弁休止機構５３に油圧を供給するソレノイドをオフにして、第１吸気口４４と第１排気口４６とを閉じたまま保持する。一方、制御切換回転数NEVTC以上のエンジン回転数NEでは、弁休止機構５３に油圧を供給するソレノイドをオンにして、第１吸気口４４と第１排気口４６とがエンジン回転に応じて開閉されるようにする。
【００３８】
第１吸気口４４と第１排気口４６とに設けられる弁（休止側弁）は、前記ソレノイドがオンになった後、予定の時間（後述のリーン化復帰開始タイマtmKVTLNHに対応する時間、例えば５０ｍ秒）経過後に駆動される。
【００３９】
リーン化、つまりリーン化係数KVTLNの低減処理は、エンジン回転数が下限回転数NEVTCL（例えば６４００ｒｐｍ）を超えた時点で実施される。エンジン回転数が下限回転数NEVTCLを超えたときからリーン化係数KVTLNは所定の処理サイクル毎に１ステップ（リーン化係数移行量）ずつ、予定の最小リーン化係数（例えば０．５７）まで低減される。最小のリーン化係数はエンジンの冷却水温に応じて、この温度が高いほど小さい値が設定される。
【００４０】
なお、リーン化係数KVTLNは予定時間リーン化状態（１．０以下）に保持された場合、つまりエンジン回転数が予定の低回転数域で安定している場合は、１．０に復帰するよう制御される。休止側弁が駆動された時点からリーン化係数KVTLNの復帰処理が行われる。リーン化係数KVTLNの復帰処理は１ステップ（リーン化係数復帰量）ずつ増大される。
【００４１】
燃料噴射量は、種々のパラメータを使用して決定されるエンジンの要求燃料量に応じてマップ等を用いて周知の手法で決定される。ここで決定された燃料噴射量にリーン化係数KVTLNを乗算して、燃料噴射量が補正される。下限回転数NEVTCLからリーン化がされ始め、リーン化係数KVTLNの復帰動作が完了するまでリーン化が維持される。休止側の吸気路に溜まっていた燃料が開弁動作時に一度に流入して、一時的に空燃比Ａ／Ｆは理論空燃比から低下することがある。しかし、本実施形態によれば、予め燃料供給量を低下させるリーン化を行っているので、空燃比Ａ／Ｆの急な低下は抑止される。
【００４２】
図７，図８は、燃料供給制御のフローチャートであり、特に、混合気のリーン化係数算出のフローチャートである。図７において、ステップＳ１では混合気のリーン化程度を決定するリーン化係数KVTLNが１．０未満か否かを判断する。リーン化係数KVTLNが１．０未満でない場合は、ステップＳ２に進み、エンジン回転数NEと車速Vとの比NE/Vがしきい値より大きいか否かにより、変速機の切り換えが高変速比側（ローギヤ側）か低変速比側（ハイギヤ側）かを判断する。変速機の切り換え位置に応じたデータを設定するためである。
【００４３】
ローギヤ側の時はステップＳ３に進み、ハイギヤ側のときは、ステップＳ４に進む。ステップＳ３およびステップＳ４では、それぞれローギヤ側用およびハイギヤ側用のデータを設定する。リーン化の実施下限スロットル開度（以下、「下限スロットル開度」という）THVTLN、リーン化実施下限エンジン回転数（下限回転数）NEVTCL、４バルブ時（各気筒の４つの弁機構が作動可能状態時）のリーン化復帰タイマ用データTMKVTH、２バルブ時（各気筒の４つの弁機構のうち給排気１対が作動可能状態時）のリーン化復帰タイマ用データTMKVTL、２バルブ時のリーン化係数移行量DKVTL、および４バルブ時のリーン化係数復帰量DKVTLDの各データを記憶部（ＲＯＭ等）から読み出してそれぞれ設定する。設定されるデータの符号の末尾「１」はローギヤ側用データ、同「２」はハイギヤ側用データを示す。
【００４４】
ステップＳ５およびステップＳ６では、それぞれエンジン水温に対応して最小のリーン化係数TW-KVTLN0L、TW-KVTLN0Hが設定されているテーブルを検索して最小リーン化係数KVTLN0をセットする。
【００４５】
ステップＳ７では、弁休止機構５３に作動油の油圧をかけるためのソレノイドがオンか否かを示すフラグF-VTSHを識別する。このソレノイドがオンのときは、弁休止機構５３のプランジャ６３が油圧で付勢されて弁機構がカム６７に応動する状態（作動可能状態）になっているものとする。ソレノイドがオンのときは、ステップＳ８に進む。
【００４６】
ステップＳ８では、２バルブ時のリーン化復帰タイマ用データTMKVTLを２バルブ時のリーン化復帰タイマtmKVTLにセットする。ステップＳ９では、４バルブ時のリーン化復帰開始タイマtmKVTLNHが「０」以下になったか否かを判断する。このタイマtmKVTLNHの値はソレノイドが付勢されてからリーン化係数KVTLNを１．０まで復帰させる動作を開始するまでの遅延時間に対応する。ステップＳ９が肯定ならばステップＳ１０に進んで、リーン化係数KVTLNが１．０未満か否かを判断する。
【００４７】
リーン化係数KVTLNが１．０未満であれば、ステップＳ１１に進んでリーン化係数復帰量DKVTLDを現在のリーン化係数KVTLNに加算して、リーン化係数KVTLNを更新する。ステップＳ１２では、リーン化係数KVTLNが１．０以上になったか否かを判断する。ステップＳ１２が肯定、つまりリーン化係数KVTLNが１．０以上に復帰完了した場合は、ステップＳ１３に進んでリーン化係数KVTLNとして１．０をセットする。一方、ステップＳ１０でリーン化係数KVTLNが１．０未満でないと判断された場合も、ステップＳ１３に進んで、リーン化係数KVTLNとして１．０がセットされる。
【００４８】
このように、前記ソレノイドがオンのとき、つまり第１，第２吸気口４４，４５と第１，第２排気口４６，４７とに関するすべての弁機構が常時作動可能な状態（４バルブ時）に切り換えられた場合は、リーン化係数KVTLNが１．０に復帰されるので、混合気がエンジンの要求通りになるように燃料供給量が制御され、リーン化は解除される。
【００４９】
ステップＳ７で、ソレノイドがオフであると判断されたときは、２バルブ時と判断される。２バルブ時の処理は図８を参照する。図８において、ステップＳ１４では４バルブ時のリーン化復帰タイマ用データTMKVTHを４バルブ時のリーン化復帰タイマtmKVTHにセットする。ステップＳ１５では、４バルブ時状態から２バルブ時状態への切換えが許可されているか否かをフラグF-TWVTSを識別して判断する。エンジンＥの冷却水温が予定値より高いときには暖機終了とみなして、２バルブ時状態への切換えが許可され、フラグF-TWVTSはセットされる（＝１）。一方、エンジンＥの冷却水温が予定値より低いときは、暖機されていないとみなして２バルブ時状態への切換えが禁止され、フラグF-TWVTSはクリアされる（＝０）。
【００５０】
２バルブ時状態への切換が許可されていればステップＳ１６に進み、エンジンＥが無負荷状態か否かをフラグF-NOLOADを識別して判断する。例えば、クラッチがオフまたは変速機がニュートラル位置にあるときは無負荷とみなしてフラグF-NOLOADはセットされる。クラッチがオンまたは変速機がニュートラル位置以外にあるときは負荷がかかっているとみなしてフラグF-NOLOADはクリアされる。
【００５１】
負荷がかかっている場合はステップＳ１７に進み、スロットル開度THが下限スロットル開度THVTLNL以上か否かを判断する。すなわち、この下限スロットル開度以下ではリーン化は実施されない。ステップＳ１７が肯定ならばステップＳ１８に進んで下限回転数NEVTCL以上か否かを判断する。すなわち、この下限回転数以下ではリーン化が実施されない。
【００５２】
エンジン水温が予定温度より高く（ステップＳ１５肯定）、エンジンＥに負荷がかっており（ステップＳ１６否定）、スロットル開度THおよびエンジン回転数NEがいずれもそれぞれに対応する下限値を超えている場合（ステップＳ１７，Ｓ１８がいずれも肯定）、ステップＳ１９に進む。
【００５３】
ステップＳ１９では、２バルブ時リーン化復帰タイマtmKVTLが「０」以下か否かが判断される。ステップＳ１９が否定ならば、ステップＳ２０に進んで、現在のリーン化係数KVTLNが最小リーン化係数KVTLN0以下か否かを判断する。すなわち、エンジン水温に対応した最小のリーン化係数KVTLN0までリーン化係数KVTLNが低減されたか否かが判断される。ステップＳ２０が肯定ならばステップＳ２１に進んでリーン化係数KVTLNをテーブル値KVTLN0で置き換える。
【００５４】
現在のリーン化係数KVTLNが最小リーン化係数KVTLN0以下になっていなければステップＳ２２に進んで、リーン化係数移行量DKVTLを現在のリーン化係数KVTLNから減算してリーン化係数KVTLNを更新する。ステップＳ２３では、ステップＳ２０と同様、現在のリーン化係数KVTLNが最小リーン化係数KVTLN0以下か否かを判断する。この判断が肯定ならばステップＳ２１に進む。
【００５５】
こうして、リーン化係数KVTLNはリーン化係数移行量DKVTLずつ段階的に、予定の最小リーン化係数KVTLN0まで低減される。
【００５６】
ステップＳ１９が肯定、つまり２バルブ時リーン化復帰タイマtmKVTLが「０」以下のときは、リーン化状態を維持するために予定した時間が経過したと判断してステップＳ２４に進み、リーン化係数KVTLNを戻す処理を開始する。まず、ステップＳ２４ではリーン化係数KVTLNが１．０未満か否かを判断する。リーン化係数KVTLNが１．０未満でなければステップＳ２５に進んでリーン化係数KVTLNに１．０をセットする。リーン化係数KVTLNが１．０未満であれば、リーン化の途中であるので、ステップＳ２４からステップＳ２６に進んでリーン化係数移行量DKVTLを現在のリーン化係数KVTLNに加算して、リーン化値KVTLNを更新する。ステップＳ２７では、リーン化係数KVTLNが１．０以上になったか否かを判断する。ステップＳ２７が肯定ならばステップＳ２５に進む。
【００５７】
ステップＳ１５が否定、ステップＳ１６が肯定、ステップＳ１７が否定、ステップＳ１８が否定のいずれかに該当すれば、ステップＳ２８に進んで、２バルブ時のリーン化復帰タイマ用データTMKVTLを２バルブ時のリーン化復帰タイマtmKVTLにセットする。ステップＳ２９ではリーン化係数KVTLNが１．０未満か否かを判断する。ステップＳ２９が否定ならばステップＳ３０でリーン化値KVTLNに１．０をセットする。リーン化係数KVTLNが１．０未満であればステップＳ２９からステップＳ３１に進んで、リーン化係数移行量DKVTLを現在のリーン化係数KVTLNに加算して、リーン化係数KVTLNを更新する。ステップＳ３２では、リーン化係数KVTLNが１．０以上に復帰したか否かを判断する。この判断が肯定ならば復帰終了とみなしてステップＳ３０に進み、リーン化値KVTLNに１．０をセットする。
【００５８】
図１は、リーン化係数算出のための要部機能を示すブロック図である。同図において、エンジン回転数検出部４はエンジン回転数センサ５の出力をもとにエンジン回転数NEを検出する。ソレノイド制御部６はエンジン回転数が制御切換回転数NEVTEC以上のときに前記弁休止機構５３に油圧を供給するソレノイド７を駆動する指令を出力する。ソレノイド７は作動油供給源８を付勢して弁休止機構５３に油圧を作用させる。スロットル開度検出部９はスロットルセンサ１０の回動角を検出してスロットル開度を検出する。
【００５９】
エンジン回転数域判別部１１はエンジン回転数NE、スロットル開度THならびに前記ソレノイドの駆動指令およびリーン化下限回転数NEVTCLに基づいて、エンジン回転数NEがリーン化のための予定領域のいずれに対応しているかを判断する。エンジン回転数NEが下限回転数NEVTCL以上で、スロットル開度が下限開度以上であり、かつソレノイドの駆動指令がオフのときは、リーン化係数低減部１２が付勢され、リーン化係数KVTLNは低減される。
【００６０】
そして、ソレノイドの駆動指令がオンになればリーン化係数復帰部１３が付勢され、リーン化係数KVTLNの復帰処理（増大処理）が行われる。復帰処理はリーン化係数KVTLNが１．０に達すれば終了する。また、リーン化係数低減部１２が予定時間付勢された場合も、リーン化係数復帰部１３は付勢される。
【００６１】
リーン化係数低減部１２およびリーン化係数復帰部１３によって、リーン化係数設定部１４のリーン化係数KVTLNは増減され、このリーン化係数KVTLNは燃料噴射量算出部１５に供給され、リーン化を含む燃料噴射量の算出が行われる。算出された燃料噴射量に基づくオン時間とオフ時間のデューティ比に従って燃料噴射弁１６が駆動される。
【００６２】
上述の実施形態においては弁休止機構として油圧駆動のものを想定した。しかし、本発明はこれに限らず、予定の低回転数域で複数組の吸気口および排気口のうち、少なくとも１つの吸気口をエンジンの回転にかかわらず閉じたままに保持する機構が含まれているエンジンに広く適用できる。
【００６３】
【発明の効果】
以上の説明から明らかなとおり、請求項１〜５の発明によれば、休止中の吸気口に滞留した燃料が一度に流入することによるオーバリッチを、リーン化補正により解消することができる。したがって、エンジンの出力変動や未燃炭化水素の発生を抑制することができる。特に、これらの効果を、燃料噴射弁を各気筒に複数設ける等の複雑な構造によらず達成できる。
【００６４】
また、請求項２や請求項３の発明によれば、徐々にリーン化補正やその復帰が行われるのでエンジンの出力変動をより一層緩和することができる。
【００６５】
また、請求項４の発明によれば、休止中の滞留燃料がエンジン温度に依存することに鑑み、エンジン温度が低いときにはリーン化の程度を大きくすることができる。さらに、請求項５の発明によれば、エンジン回転数が休止切換運転域で安定しているときに過度にリーン化が進むのを抑制して、休止切換運転域での出力の安定性を確保することができる。
【図面の簡単な説明】
【図１】  本発明の一実施形態に係る制御装置の要部機能を示すブロック図である。
【図２】  本発明の一実施形態に係る制御装置を有する自動二輪車の側面図である。
【図３】  エンジンのシリンダヘッドの断面図である。
【図４】  エンジンのシリンダヘッドの底面図である。
【図５】  弁休止機構の断面図である。
【図６】  燃料供給制御のタイミングチャートである。
【図７】  燃料供給制御のフローチャート（その１）である。
【図８】  燃料供給制御のフローチャート（その２）である。
【符号の説明】
２…自動二輪車、  ４…エンジン回転数検出部、  ５…回転数センサ、  ６…ソレノイド制御部６、  ７…ソレノイド、  １０…スロットルセンサ、  １１…エンジン回転数域判別部、  １２…リーン化係数低減部、  １３…リーン化係数復帰部１３、  １４…リーン化係数設定部、  １５…燃料噴射量算出部、４０…シリンダヘッド、  ４３…燃焼室、  ４４…第１吸気口、  ４５…第２吸気口、  ４６…第１排気口、  ４７…第２排気口、  ５０…連通口、  ５３…弁休止機構、  ６２…ピンホルダ、  ６３…プランジャ
【図１】
0004070071.tif 000002
【図２】
0004070071.tif 000003
【図３】
0004070071.tif 000004
【図４】
0004070071.tif 000005
【図５】
0004070071.tif 000006
【図６】
0004070071.tif 000007
【図７】
0004070071.tif 000008
【図８】
0004070071.tif 000009